(57)【要約】      （修正有）【課題】押弦状態に応じて、音色やピッチの微妙な変化を反映できる電子弦楽器を提供する。【解決手段】ＣＰＵ４１は、指板に設けられた複数のフレット２３に対して行われた操作を検出し、検出された操作に基づいて発音すべき楽音の音高を決定し、発音すべき楽音の発音タイミングを決定し、決定された音高の楽音の発音を、決定された発音タイミングで、接続された音源に指示し、検出された操作の状態に基づいて、接続された音源で発音される楽音を制御する。【選択図】図３
2014142508.tif 000002
【特許請求の範囲】
【請求項１】
指板上に設けられた複数のフレットに対して行われた操作を検出する操作検出手段と、
前記操作検出手段により検出された操作に基づいて発音すべき楽音の音高を決定する音高決定手段と、
前記発音すべき楽音の発音タイミングを決定する発音タイミング決定手段と、
前記音高決定手段により決定された音高の楽音の発音を、前記発音タイミング決定手段により決定された発音タイミングで、接続された音源に指示する発音指示手段と、
前記操作検出手段により検出された操作の状態に基づいて、前記接続された音源で発音される楽音を制御する制御手段と、
を有する電子弦楽器。
【請求項２】
前記操作検出手段は、前記操作の状態として、操作に用いる指と前記フレットとの近接状態を検出する請求項１に記載の電子弦楽器。
【請求項３】
前記操作検出手段は、前記複数のフレットの位置夫々に対応して前記指板内に設けられた静電センサを有する請求項１又は２いずれかに記載の電子弦楽器。
【請求項４】
前記発音タイミング決定手段は、複数の弦を有するとともに、当該弦のいずれが弾弦されたタイミングを発音タイミングとして決定する請求項１に記載の電子弦楽器。
【請求項５】
前記制御手段は、前記接続された音源で発音された楽音の音高を、前記操作検出手段により検出された操作の状態に基づいて変更する請求項１に記載の電子弦楽器。
【請求項６】
前記接続された音源は、前記発音の指示された楽音のパラメータを変調する変調手段を有し、
前記制御手段は、前記操作検出手段により検出された操作の状態に基づいて、前記変調手段の変調度合いを変更する請求項１に記載の電子弦楽器。
【請求項７】
前記接続された音源は、前記発音の指示に応答して異なる種類の楽音を混合して発音するように構成され、
前記制御手段は、前記異なる種類の楽音の混合比率を、前記操作検出手段により検出された操作の状態に基づいて変更する請求項１に記載の電子弦楽器。
【請求項８】
指板上に設けられた複数のフレットに対して行われた操作を検出し、
前記検出された操作に基づいて発音すべき楽音の音高を決定し、
前記発音すべき楽音の発音タイミングを決定し、
前記決定された音高の楽音の発音を、前記決定された発音タイミングで、接続された音源に指示し、
前記検出された操作の状態に基づいて、前記接続された音源で発音される楽音を制御する、楽音生成方法。
【請求項９】
指板上に設けられた複数のフレットに対して行われた操作を検出する操作検出ステップと、
前記検出された操作に基づいて発音すべき楽音の音高を決定する音高決定ステップと、
前記発音すべき楽音の発音タイミングを決定する発音タイミング決定ステップと、
前記決定された音高の楽音の発音を、前記決定された発音タイミングで、接続された音源に指示する発音指示ステップと、
前記検出された操作の状態に基づいて、前記接続された音源で発音される楽音を制御する制御ステップと、
をコンビュータに実行させるプログラム。
【発明の詳細な説明】
【技術分野】
【０００１】
本発明は、電子弦楽器、楽音生成方法及びプログラムに関する。
【背景技術】
【０００２】
従来、入力される波形信号のピッチを抽出し、抽出したピッチに対応する楽音の発音を指示する入力制御装置が知られている。この種の装置として、例えば特許文献１には、入力波形信号の最大値検出直後の波形ゼロクロス周期と最小値検出直後の波形ゼロクロス周期とを検出し、両周期が略一致した場合にその検出した周期に対応するピッチの楽音の発音を指示したり、あるいは入力波形信号の最大値検出周期と最小値検出周期とを検出し、両周期が略一致した場合にその検出した周期に対応するピッチの楽音の発音を指示する技術が開示されている。
【先行技術文献】
【特許文献】
【０００３】
【特許文献１】特開昭６３−１３６０８８号公報
【発明の概要】
【発明が解決しようとする課題】
【０００４】
しかしながら、この方式では、左手の押弦の強さを検出していない。実際のギターではこの左手が弦を押す力は多段階に変更されている。
たとえば、弦を指板まで完全に押し込まず、軽くフレットに当たる程度まで押し込めば、正しい音程で弦は振動する。もしこの押弦力を強くした場合には、弦は指とともに指板まで大きく沈み込み弦のテンションがあがるため、音程はわずかに上昇する。このメカニズムを利用して、奏者はビブラート演奏している。
【０００５】
また、今度は押さえる指の力をフレットがわずかに触れる直前（実際は触れていない）程度まで近づけると、今度は、弦振動によってフレットに一時的に当たる、及び離れるという現象を繰り返す。すると、音程が出ているときと、音が完全に指でミュートされるときが混在する状態が発生する。この音の聞こえ方は、ノーマルの弦振動が半分、ミュートの音が半分混合されたような音となる。
【０００６】
この状態からさらに押弦の力を抜いて指は弦に触れているものの、フレットからは完全に浮いた状態に移行していくと、弦のノーマル音は音量が小さくなっていき、ミュート音はこれに反して大きくなってくる。
演奏者はこの左手の押弦の強さをコントロールして、音色を微妙にコントロールしてしるが、従来の方式では、左手の押弦の状態を検知していなかったため、このような発音を行わせる構成がなく押弦状態に応じて、音色やピッチの微妙な変化を反映できなかった。
【０００７】
本発明は、このような事情に鑑みてなされたもので、押弦状態に応じて、音色やピッチの微妙な変化を反映できる電子弦楽器を提供することを目的とする。
【課題を解決するための手段】
【０００８】
上記目的を達成するため、本発明の一態様の電子弦楽器は、
指板上に設けられた複数のフレットに対して行われた操作を検出する操作検出手段と、
前記操作検出手段により検出された操作に基づいて発音すべき楽音の音高を決定する音高決定手段と、
前記発音すべき楽音の発音タイミングを決定する発音タイミング決定手段と、
前記音高決定手段により決定された音高の楽音の発音を、前記発音タイミング決定手段により決定された発音タイミングで、接続された音源に指示する発音指示手段と、
前記操作検出手段により検出された操作の状態に基づいて、前記接続された音源で発音される楽音を制御する制御手段と、
を有する。
【発明の効果】
【０００９】
本発明によれば、押弦状態に応じて、音色やピッチの微妙な変化を反映できる電子弦楽器を提供できる。
【図面の簡単な説明】
【００１０】
【図１】本発明の電子弦楽器の外観を示す正面図である。
【図２】上記電子弦楽器を構成する電子部のハードウェア構成を示すブロック図である。
【図３】押弦センサの信号制御部を示す模式図である。
【図４】静電センサの出力に基づいて弦とフレットとの接触を検出することなく、押弦を検知するタイプの押弦センサが適用されたネックの斜視図である。
【図５】本実施形態に係る電子弦楽器において実行されるメインフローを示すフローチャートである。
【図６】本実施形態に係る電子弦楽器において実行されるスイッチ処理を示すフローチャートである。
【図７】本実施形態に係る電子弦楽器において実行される音色スイッチ処理を示すフローチャートである。
【図８】本実施形態に係る電子弦楽器において実行される演奏検知処理を示すフローチャートである。
【図９】本実施形態に係る電子弦楽器において実行される押弦位置検知処理を示すフローチャートである。
【図１０】本実施形態に係る電子弦楽器において実行される先行トリガ処理を示すフローチャートである。
【図１１】本実施形態に係る電子弦楽器において実行される先行トリガ可否処理を示すフローチャートである。
【図１２】本実施形態に係る電子弦楽器において実行される弦振動処理を示すフローチャートである。
【図１３】本実施形態に係る電子弦楽器において実行されるノーマルトリガ処理を示すフローチャートである。
【図１４】本実施形態に係る電子弦楽器において実行されるピッチ抽出処理を示すフローチャートである。
【図１５】本実施形態に係る電子弦楽器において実行される消音検知処理を示すフローチャートである。
【図１６】本実施形態に係る電子弦楽器において実行される統合処理を示すフローチャートである。
【図１７】本実施形態に係る電子弦楽器において実行されるパラメータ変更処理を示すフローチャートである。
【図１８】本実施形態に係る電子弦楽器において実行される押弦位置検知処理の第１変形例を示すフローチャートである。
【図１９】本実施形態に係る電子弦楽器において実行されるパラメータ変更処理の第１変形例を示すフローチャートである。
【図２０】本実施形態に係る電子弦楽器において実行される押弦位置検知処理の第２変形例を示すフローチャートである。
【図２１】本実施形態に係る電子弦楽器において実行されるパラメータ変更処理の第２変形例を示すフローチャートである。
【発明を実施するための形態】
【００１１】
以下、本発明の実施形態について、図面を用いて説明する。
【００１２】
［電子弦楽器１の概要］
初めに、図１を参照して、本発明の一実施形態としての電子弦楽器１の概要について説明する。
【００１３】
図１は、電子弦楽器１の外観を示す正面図である。図１に示す如く、電子弦楽器１は、本体１０と、ネック２０と、ヘッド３０とに大別される。
【００１４】
ヘッド３０には、スチール製の弦２２の一端が巻かれる糸巻き３１が取り付けられており、ネック２０は、指板２１に複数のフレット２３が埋め込まれている。なお、本実施形態において、弦２２は６本、フレット２３は２２個、設けられている。６本の弦２２は、各々弦番号と対応付けられている。一番細い弦２２が、弦番号「１番」であり、弦２２の太さが太くなる順番で弦番号が大きくなる。２２個のフレット２３は、各々フレット番号と対応付けられている。最もヘッド３０寄りのフレット２３は、フレット番号「１番」であり、ヘッド３０側から遠ざかるに連れて、配置されたフレット２３のフレット番号が大きくなる。
【００１５】
本体１０には、弦２２の他端が取り付けられるブリッジ１６と、弦２２の振動を検出するノーマルピックアップ１１と、各々の弦２２の振動を独立して検出するヘキサピックアップ１２と、放音されるサウンドにトレモロ効果を付加するためのトレモロアーム１７と、本体１０の内部に内蔵されている電子部１３と、各々の弦２２と電子部１３とを接続するケーブル１４と、音色の種類等を表示するための表示部１５と、が設けられている。
【００１６】
図２は、電子部１３のハードウェア構成を示すブロック図である。電子部１３は、ＣＰＵ（Ｃｅｎｔｒａｌ  Ｐｒｏｃｅｓｓｉｎｇ  Ｕｎｉｔ）４１と、ＲＯＭ（Ｒｅａｄ  Ｏｎｌｙ  Ｍｅｍｏｒｙ）４２と、ＲＡＭ（Ｒａｎｄｏｍ  Ａｃｃｅｓｓ  Ｍｅｍｏｒｙ）４３と、押弦センサ４４と、音源４５と、ノーマルピックアップ１１と、ヘキサピックアップ１２と、スイッチ４８と、表示部１５と、Ｉ／Ｆ（インターフェース）４９と、がバス５０を介して接続されている。
さらに、電子部１３は、ＤＳＰ（Ｄｉｇｉｔａｌ  Ｓｉｇｎａｌ  Ｐｒｏｃｅｓｓｏｒ）４６と、Ｄ／Ａ（デジタルアナログコンバータ）４７と、を備える。
【００１７】
ＣＰＵ４１は、ＲＯＭ４２に記録されているプログラム、又は、記憶部（図示せず）からＲＡＭ４３にロードされたプログラムに従って各種の処理を実行する。
【００１８】
ＲＡＭ４３には、ＣＰＵ４１が各種の処理を実行する上において必要なデータ等も適宜記憶される。
【００１９】
押弦センサ４４は、押弦が何番の弦の何番のフレットに対して行われたかを検出する。この押弦センサ４４は、後述する静電センサの出力に基づいて、いずれかのフレット２３（図１参照）上において弦２２（図１参照）に対して押弦操作が行われたのかを検出する。
【００２０】
音源４５は、例えばＭＩＤＩ（Ｍｕｓｉｃａｌ  Ｉｎｓｔｒｕｍｅｎｔ  Ｄｉｇｉｔａｌ  Ｉｎｔｅｒｆａｃｅ）データで発音が指示された楽音の波形データを生成し、その波形データをＤ／Ａ変換して得られるオーディオ信号を、ＤＳＰ４６及びＤ／Ａ４７を介して外部音源５３に出力して、発音及び消音の指示を出す。なお、外部音源５３は、Ｄ／Ａ４７から出力されたオーディオ信号を増幅して出力するアンプ回路（図示せず）と、アンプ回路から入力されたオーディオ信号により楽音を放音するスピーカ（図示せず）と、を備える。
【００２１】
ノーマルピックアップ１１は、検出された弦２２（図１参照）の振動を電気信号に変換してＣＰＵ４１に出力する。
ヘキサピックアップ１２は、検出された各々の弦２２（図１参照）の独立した振動を電気信号に変換してＣＰＵ４１に出力する。
【００２２】
スイッチ４８は、本体１０（図１参照）に設けられた各種スイッチ（図示せず）からの入力信号をＣＰＵ４１に出力する。
表示部１５は、発音対象となる音色の種類等を表示する。
【００２３】
図３は、押弦センサ４４の信号制御部を示す模式図である。
【００２４】
押弦センサ４４においては、Ｙ信号制御部５２は、弦２２のいずれかを順次指定し、指定された弦に対応する静電センサを指定する。Ｘ信号制御部５１は、フレット２３のいずれかを指定し、指定されたフレットに対応する静電センサを指定する。こうして弦２２及びフレット２３の両方同時に指定された静電センサのみを動作させ、この動作された静電センサの出力値の変化をＣＰＵ４１（図２参照）に押弦位置情報として出力する。
【００２５】
図４は、静電センサの出力に基づいて弦２２とフレット２３との接触を検出することなく、押弦を検知するタイプの押弦センサ４４が適用されたネック２０の斜視図である。
【００２６】
図４において、指板２１の下部には、静電センサとしての静電パッド２６が、各々の弦２２、及び各々のフレット２３ごとに対応付けられて配置されている。即ち、本実施形態のように、６弦×２２フレットである場合、１４４箇所の静電パッドが配置される。これらの静電パッド２６は、弦２２が指板２１に近づいたときの静電容量を検出してＣＰＵ４１に送信する。ＣＰＵ４１は、この送信された静電容量の値に基づいて押弦位置に対応する弦２２及びフレット２３を検出する。
【００２７】
［メインフロー］
図５は、本実施形態に係る電子弦楽器１において実行されるメインフローを示すフローチャートである。
【００２８】
まず、ステップＳ１では、ＣＰＵ４１は、電源の投入によりイニシャライズを実行する。ステップＳ２では、ＣＰＵ４１は、スイッチ処理（図６で後述する）を実行する。ステップＳ３では、ＣＰＵ４１は、演奏検知処理（図８で後述する）を実行する。ステップＳ４では、ＣＰＵ４１は、その他の処理を実行する。その他の処理では、ＣＰＵ４１は、例えば、表示部１５に出力コードのコード名を表示するなどの処理を実行する。ステップＳ４の処理が終了すると、ＣＰＵ４１は、処理をステップＳ２に移行させて、ステップＳ２〜Ｓ４の処理を繰り返す。
【００２９】
［スイッチ処理］
図６は、本実施形態に係る電子弦楽器１において実行されるスイッチ処理を示すフローチャートである。
【００３０】
まず、ステップＳ１１では、ＣＰＵ４１は、音色スイッチ処理（図７で後述する）を実行する。ステップＳ１２では、ＣＰＵ４１は、モードスイッチ処理を実行する。モードスイッチ処理では、ＣＰＵ４１は、後述する３種類のパラメータ変更処理（図１７、図１９、図２１）のいずれが実行されるかを識別するためのモードが決定される。ステップＳ１２の処理が終了すると、ＣＰＵ４１は、スイッチ処理を終了する。
【００３１】
［音色スイッチ処理］
図７は、本実施形態に係る電子弦楽器１において実行される音色スイッチ処理を示すフローチャートである。
【００３２】
まず、ステップＳ２１では、ＣＰＵ４１は、音色スイッチ（図示せず）がオンされたか否かを判断する。音色スイッチがオンされたと判断された場合、ＣＰＵ４１は、処理をステップＳ２２に移し、オンされたと判断されなかった場合、ＣＰＵ４１は、音色スイッチを終了する。ステップＳ２２では、ＣＰＵ４１は、音色スイッチにより指定された音色に対応する音色番号を、変数ＴＯＮＥに格納する。ステップＳ２３では、ＣＰＵ４１は、変数ＴＯＮＥに基づくイベントを音源４５に供給する。これにより、音源４５に、発音されるべき音色が指定される。ステップＳ２３の処理が終了すると、ＣＰＵ４１は、音色スイッチ処理を終了する。
【００３３】
［演奏検知処理］
図８は、本実施形態に係る電子弦楽器１において実行される演奏検知処理を示すフローチャートである。
【００３４】
まず、ステップＳ３１では、ＣＰＵ４１は、押弦位置検出処理（図９で後述する）を実行する。ステップＳ３２では、ＣＰＵ４１は、弦振動処理（図１２で後述する）を実行する。ステップＳ３３では、ＣＰＵ４１は、統合処理（図１６で後述する）を実行する。ステップＳ３３の処理が終了すると、ＣＰＵ４１は、演奏検知処理を終了する。
【００３５】
［押弦位置検知処理］
図９は、本実施形態に係る電子弦楽器１において実行される押弦位置検知処理（図８のステップＳ３１の処理）を示すフローチャートである。
【００３６】
まず、ステップＳ４１では、ＣＰＵ４１は、押弦センサ４４からの出力値を取得する。具体的には、ＣＰＵ４１は、押弦センサ４４の出力値として、弦番号とフレット番号とに対応する静電容量の値を受信する。ステップＳ４２において、ＣＰＵ４１は、押さえ位置を検出したか否かを判断する。押さえ位置を検出したという判断は、次のように行われる。ＣＰＵ４１は、受信した、弦番号とフレット番号とに対応する静電容量の値が所定の閾値を超えている場合、当該弦番号とフレット番号とに対応する箇所、即ち、押さえ位置に押弦がなされたと判断する。押さえ位置が検出されたと判断された場合、ＣＰＵ４１は、処理をステップＳ４４に移し、押さえ位置が検出されたと判断されない場合、ＣＰＵ４１は、ステップＳ４３において、非押弦、即ち、開放弦であると判断する。その後、ＣＰＵ４１は、ステップＳ４４に処理を移す。
ステップＳ４４では、ＣＰＵ４１は、先行トリガ処理（図１１で後述）を実行する。ステップＳ４５では、ＣＰＵ４１は、先行トリガタイミング時の押弦センサ４４の出力値をＲＡＭ４３に記録する。ここで、先行トリガタイミング時の押弦センサ４４の出力値は、Ｓｎｍとして押さえ位置ごとに対応付けられて記録される。ここで、ｎ＝弦番号、ｍ＝フレット番号である。
ステップＳ４６では、ＣＰＵ４１は、ピッチ補正データを作成する。具体的には、弦番号とフレット番号とに対応する音高を基準の音高として、当該基準の音高が発音される場合での押弦センサ４４の出力値をＫｎｍとすると、ピッチ補正データ（Ｐｈ）は、補正値（Ｈ）を用いて、以下の式（１）で算出される。
Ｐｈ＝（Ｋｎｍ−Ｓｎｍ）／１００×Ｈ・・・（１）
ここで、Ｓｎｍは、実際の押弦の力に応じて変化するので、押弦状態に応じてピッチ補正データは変化することになる。
ステップＳ４６の処理が終了すると、ＣＰＵ４１は、押弦位置検知処理を終了する。
【００３７】
［先行トリガ処理］
図１０は、本実施形態に係る電子弦楽器１において実行される先行トリガ処理（図９のステップＳ４４の処理）を示すフローチャートである。ここで、先行トリガとは、演奏者による弾弦前の押弦が検出されたタイミングでの発音のトリガのことである。
【００３８】
まず、ステップＳ５１では、ＣＰＵ４１は、ヘキサピックアップ１２からの出力を受信し、各々の弦の振動レベルを取得する。ステップＳ５２では、ＣＰＵ４１は、先行トリガ可否処理（図１１で後述）を実行する。ステップＳ５３では、先行トリガが可能であるか否か、即ち、先行トリガフラグがオンであるか否かを判断する。この先行トリガフラグは、後述する先行トリガ可否処理のステップＳ６２において、オンされる。先行トリガフラグがオンである場合、ＣＰＵ４１は、ステップＳ５４に処理を移行させ、先行トリガフラグがオフである場合、ＣＰＵ４１は、先行トリガ処理を終了する。
ステップＳ５４では、ＣＰＵ４１は、音色スイッチで指定された音色と、先行トリガ可否処理のステップＳ６３で決定されるベロシティとに基づいて、音源４５に発音指示の信号を送信する。ステップＳ５４の処理が終了すると、ＣＰＵ４１は、先行トリガ処理を終了する。
【００３９】
［先行トリガ可否処理］
図１１は、本実施形態に係る電子弦楽器１において実行される先行トリガ可否処理（図１０のステップＳ５２の処理）を示すフローチャートである。
【００４０】
まず、ステップＳ６１では、ＣＰＵ４１は、図１０のステップＳ５１で受信したヘキサピックアップ１２からの出力に基づいた各々の弦の振動レベルが、所定の閾値（Ｔｈ１）より大きいか否かを判断する。この判断がＹＥＳの場合、ＣＰＵ４１は、処理をステップＳ６２に移行させ、ＮＯの場合、ＣＰＵ４１は、先行トリガ可否処理を終了する。
ステップＳ６２では、ＣＰＵ４１は、先行トリガを可能にするために、先行トリガフラグをオンにする。ステップＳ６３では、ＣＰＵ４１は、ベロシティ確定処理を実行する。
具体的には、ベロシティ確定処理では、以下の処理が実行される。ＣＰＵ４１は、ヘキサピックアップの出力に基づいた振動レベルがＴｈ１を超えた時点（以下、「Ｔｈ１時点」と呼ぶ）より前の、３つの振動レベルのサンプリングデータに基づいて、振動レベルの変化の加速度を検出する。具体的には、Ｔｈ１時点より１つ前及び２つ前のサンプリングデータに基づいて、振動レベルの変化の第１速度を算出する。さらに、Ｔｈ１時点より２つ前及び３つ前のサンプリングデータに基づいて、振動レベルの変化の第２速度を算出する。そして、当該第１速度及び当該第２速度に基づいて、振動レベルの変化の加速度を検出する。さらに、ＣＰＵ４１は、実験で得られた加速度のダイナミクス内にベロシティが０〜１２７に収まるように内挿補間する。
具体的には、ベロシティを「ＶＥＬ」、検出された加速度を「Ｋ」、実験で得られた加速度のダイナミクスを「Ｄ」、補正値を「Ｈ」とすると、ベロシティは、以下の式（２）で算出される。
ＶＥＬ＝（Ｋ／Ｄ）×１２８×Ｈ・・・（２）
加速度Ｋと補正値Ｈとの関係を示すマップ（図示せず）のデータは、各弦の音高ごとにＲＯＭ４２に格納されている。ある弦のある音高の波形を観測すると、弦がピックから離れた直後の波形の変化には固有の特性がある。したがって、この特性のマップのデータが各弦の音高ごとに予めＲＯＭ４２に格納されることで、検出された加速度Ｋに基づいて補正値Ｈが取得される。ステップＳ６３の処理が終了すると、ＣＰＵ４１は、先行トリガ可否処理を終了する。
【００４１】
［弦振動処理］
図１２は、本実施形態に係る電子弦楽器１において実行される弦振動処理（図８のステップＳ３２の処理）を示すフローチャートである。
【００４２】
まず、ステップＳ７１では、ＣＰＵ４１は、ヘキサピックアップ１２からの出力を受信し、各々の弦の振動レベルを取得する。ステップＳ７２では、ＣＰＵ４１は、ノーマルトリガ処理（図１３で後述）を実行する。ステップＳ７３では、ＣＰＵ４１は、ピッチ抽出処理（図１４で後述）を実行する。ステップＳ７４では、ＣＰＵ４１は、消音検知処理（図１５で後述）を実行する。ステップＳ７４の処理が終了すると、ＣＰＵ４１は、弦振動処理を終了する。
【００４３】
［ノーマルトリガ処理］
図１３は、本実施形態に係る電子弦楽器１において実行されるノーマルトリガ処理（図１２のステップＳ７２の処理）を示すフローチャートである。ノーマルトリガとは、演奏者による弾弦が検出されたタイミングでの発音のトリガのことである。
【００４４】
まず、ステップＳ８１では、ＣＰＵ４１は、先行トリガが可能でないか否かを判断する。即ち、ＣＰＵ４１は、先行トリガフラグがオフであるか否かを判断する。先行トリガが可能でないと判断された場合、ＣＰＵ４１は、ステップＳ８２に処理を移行させる。先行トリガが可能であると判断された場合、ＣＰＵ４１は、ノーマルトリガ処理を終了する。ステップＳ８２では、ＣＰＵ４１は、図１２のステップＳ７１で受信したヘキサピックアップ１２からの出力に基づいた各々の弦の振動レベルが、所定の閾値（Ｔｈ２）より大きいか否かを判断する。この判断がＹＥＳの場合、ＣＰＵ４１は、処理をステップＳ８３に移行させ、ＮＯの場合、ＣＰＵ４１は、ノーマルトリガ処理を終了する。ステップＳ８３では、ＣＰＵ１１３は、ノーマルトリガを可能にするために、ノーマルトリガフラグをオンにする。ステップＳ８３の処理が終了すると、ＣＰＵ４１は、ノーマルトリガ処理を終了する。
【００４５】
［ピッチ抽出処理］
図１４は、本実施形態に係る電子弦楽器１において実行されるピッチ抽出処理（図１２のステップＳ７３の処理）を示すフローチャートである。
【００４６】
ステップＳ９１において、ＣＰＵ４１は、公知技術によりピッチを抽出して、音高を決定する。ここで、当該公知技術は、例えば、特開平１−１７７０８２号公報に記載の技術等がある。
【００４７】
［消音検知処理］
図１５は、本実施形態に係る電子弦楽器１において実行される消音検知処理（図１２のステップＳ７４の処理）を示すフローチャートである。
【００４８】
まず、ステップＳ１０１において、ＣＰＵ４１は、発音中であるか否かを判断する。この判断がＹＥＳの場合、ＣＰＵ４１は、処理をステップＳ１０２に移行させ、この判断がＮＯの場合、ＣＰＵ４１は、消音検知処理を終了する。ステップＳ１０２では、ＣＰＵ４１は、図１２のステップＳ７１で受信したヘキサピックアップ１２からの出力に基づいた各々の弦の振動レベルが、所定の閾値（Ｔｈ３）より小さいか否かを判断する。この判断がＹＥＳの場合、ＣＰＵ４１は、処理をステップＳ１０３に移行させ、ＮＯの場合、ＣＰＵ４１は、消音検知処理を終了する。ステップＳ１０３では、ＣＰＵ４１は、消音フラグをオンにする。ステップＳ１０３の処理が終了すると、ＣＰＵ４１は、消音検知処理を終了する。
【００４９】
［統合処理］
図１６は、本実施形態に係る電子弦楽器１において実行される統合処理（図８のステップＳ３３の処理）を示すフローチャートである。統合処理では、押弦位置検出処理（図８のステップＳ３１の処理）の結果と弦振動処理（図８のステップＳ３２の処理）の結果とが統合される。
【００５０】
まず、ステップＳ１１１において、ＣＰＵ４１は、先行発音済みか否かを判断する。即ち、先行トリガ処理（図１０参照）において、音源４５に発音指示がなされたか否かを判断する。先行トリガ処理において、音源４５に発音指示がなされたと判断された場合、ＣＰＵ４１は、処理をステップＳ１１２に移行させる。ステップＳ１１２において、ＣＰＵ４１は、パラメータ変更処理（図１７で後述）を実行し、処理をステップＳ１１５に移行させる。
一方、ステップＳ１１１において、先行トリガ処理において、音源４５に発音指示がなされたと判断されない場合、ＣＰＵ４１は、処理をステップＳ１１３に移行させる。ステップＳ１１３において、ＣＰＵ４１は、ノーマルトリガフラグがオンであるか否かを判断する。ノーマルトリガフラグがオンである場合、ＣＰＵ４１は、ステップＳ１１４において、音源４５に発音指示信号を送信し、処理をステップＳ１１５に移行させる。ステップＳ１１３において、ノーマルトリガフラグがオフである場合、ＣＰＵ４１は、処理をステップＳ１１５に移行させる。
ステップＳ１１５では、ＣＰＵ４１は、消音フラグがオンであるか否かを判断する。消音フラグがオンである場合、ＣＰＵ４１は、ステップＳ１１６において、音源４５に消音指示信号を送信する。消音フラグがオフである場合、ＣＰＵ４１は、統合処理を終了する。ステップＳ１１６の処理が終了すると、ＣＰＵ４１は、統合処理を終了する。
【００５１】
［パラメータ変更処理］
図１７は、本実施形態に係る電子弦楽器１において実行されるパラメータ変更処理（図１６のステップＳ１１２の処理）を示すフローチャートである。
【００５２】
まず、ステップＳ１２１において、ＣＰＵ４１は、図１４のステップＳ９１で抽出されたピッチ（Ｐｔ）を読み込む。ステップＳ１２２において、ＣＰＵ４１は、読み込まれたピッチ（Ｐｔ）に、図９のステップＳ４６で算出されたピッチ補正データ（Ｐｈ）を乗算することにより、音源４５を制御する音源制御ピッチ（Ｏｐｔ）を算出する。ステップＳ１２３において、ＣＰＵ４１は、音源４５に算出された音源制御ピッチを送信することで、音源４５に音源制御ピッチ（Ｏｐｔ）を反映させる。したがって、押弦状態に応じてピッチを補正できる。
【００５３】
［押弦位置検知処理（第１変形例）］
図１８は、本実施形態に係る電子弦楽器１において実行される押弦位置検知処理（図８のステップＳ３１の処理）の第１変形例を示すフローチャートである。
【００５４】
ステップＳ１３１〜Ｓ１３５までの処理は、上述した図９のステップＳ４１〜Ｓ４５までの処理と同様である。
ステップＳ１３６では、ＣＰＵ４１は、モジュレーション補正データを作成する。具体的には、弦番号とフレット番号とに対応する音高を基準の音高として、当該基準の音高が発音される場合での押弦センサ４４の出力値をＫｎｍとすると、モジュレーション補正データ（Ｍｈ）は、補正値（Ｉ）を用いて、以下の式（３）で算出される。
Ｍｈ＝（Ｋｎｍ−Ｓｎｍ）／１００×Ｉ・・・（３）
ステップＳ１３６の処理が終了すると、ＣＰＵ４１は、押弦位置検知処理を終了する。
モジュレーションとしては、ＬＦＯ（Ｌｏｗ  Ｆｒｅｑｕｅｎｃｙ  Ｏｓｃｉｌｌａｔｏｒ）による、ビブラート等がある。
【００５５】
［パラメータ変更処理（第１変形例）］
図１９は、本実施形態に係る電子弦楽器１において実行されるパラメータ変更処理（図１６のステップＳ１１２の処理）の第１変形例を示すフローチャートである。
【００５６】
まず、ステップＳ１４１において、ＣＰＵ４１は、音源４５から発音中の楽音に関するパラメータ（Ｍｏｄ）を取得する。パラメータとしては、音色、ピッチ、音量、ビブラートの周期、等がある。ステップＳ１４２において、ＣＰＵ４１は、取得されたパラメータ（Ｍｏｄ）に、図１８のステップＳ１３６で算出されたモジュレーション補正データ（Ｍｈ）を乗算することにより、音源４５を制御する音源モジュレーション値（ＯＭｏｄ）を算出する。ステップＳ１４３において、ＣＰＵ４１は、音源４５に算出された音源モジュレーション値を送信することで、音源４５に音源モジュレーション値（ＯＭｏｄ）を反映させる。
【００５７】
［押弦位置検知処理（第２変形例）］
図２０は、本実施形態に係る電子弦楽器１において実行される押弦位置検知処理（図８のステップＳ３１の処理）の第２変形例を示すフローチャートである。
【００５８】
ステップＳ１５１〜Ｓ１５５までの処理は、上述した図９のステップＳ４１〜Ｓ４５までの処理と同様である。
ステップＳ１５６では、ＣＰＵ４１は、ミュート移行補正データを作成する。具体的には、弦番号とフレット番号とに対応する音高を基準の音高として、当該基準の音高が発音される場合での押弦センサ４４の出力値をＫｎｍとすると、ミュート移行補正データ（Ｍｕ）は、補正値（Ｊ）を用いて、以下の式（４）で算出される。
Ｍｕ＝（Ｋｎｍ−Ｓｎｍ）／１００×Ｊ・・・（４）
ステップＳ１５６の処理が終了すると、ＣＰＵ４１は、押弦位置検知処理を終了する。
【００５９】
［パラメータ変更処理（第２変形例）］
図２１は、本実施形態に係る電子弦楽器１において実行されるパラメータ変更処理（図１６のステップＳ１１２の処理）の第２変形例を示すフローチャートである。
【００６０】
前提として、本実施形態では、音源４５において、一つの楽音に対してノーマル音とミュート音の両方が発音されるようなチャンネル設定がなされている。
まず、ステップＳ１６１において、ＣＰＵ４１は、音源４５からミュート音チャンネルの音量（ＶｏｌＭ）を取得する。ステップＳ１６２において、ＣＰＵ４１は、音源４５からノーマル音チャンネルの音量（ＶｏｌＮ）を取得する。ステップＳ１６３において、ＣＰＵ４１は、音量バランスを調整する。具体的には、ＣＰＵ４１は、取得されたミュート音チャンネルの音量（ＶｏｌＭ）に、図２０のステップＳ１５６で算出されたミュート移行補正データ（Ｍｕ）を乗算することにより、ミュート音の音量バランス調整値（ＯＶｏｌＭ）を算出する。また、ＣＰＵ４１は、取得されたノーマル音チャンネルの音量（ＶｏｌＮ）に、図２０のステップＳ１５６で算出されたミュート移行補正データ（Ｍｕ）の逆数（１／Ｍｕ）を乗算することにより、ノーマル音の音量バランス調整値（ＯＶｏｌＮ）を算出する。ステップＳ１６４において、ＣＰＵ４１は、音源４５に算出された各々の音量バランス調整値を送信することで、音源４５に、ミュート音の音量バランス調整値（ＯＶｏｌＭ）及びノーマル音の音量バランス調整値（ＯＶｏｌＮ）を反映させる。
【００６１】
以上、本実施形態の電子弦楽器１の構成及び処理について説明した。
本実施形態においては、ＣＰＵ４１は、指板２１に設けられた複数のフレット２３に対して行われた操作を検出し、検出された操作に基づいて発音すべき楽音の音高を決定し、発音すべき楽音の発音タイミングを決定し、決定された音高の楽音の発音を、決定された発音タイミングで、接続された音源に指示し、検出された操作の状態に基づいて、接続された音源４５で発音される楽音を制御する。
したがって、押弦状態に応じて、音色やピッチの微妙な変化を反映できる。
【００６２】
また、本実施形態においては、ＣＰＵ４１は、操作の状態として、操作に用いる指とフレット２３との近接状態を検出する。
したがって、操作に用いる指とフレットとの近接状態に応じて、音色やピッチの微妙な変化を反映できる。
【００６３】
また、本実施形態においては、ＣＰＵ４１は複数のフレット２３の位置夫々に対応して指板２１内に設けられた静電センサを有する。
したがって、静電センサの出力に応じて、音色やピッチの微妙な変化を反映できる。
【００６４】
また、本実施形態においては、ＣＰＵ４１は、複数の弦２２を有するとともに、当該弦２２のいずれが弾弦されたタイミングを発音タイミングとして決定する。
したがって、弦楽器の発音タイミングをリアルに再現できる。
【００６５】
また、本実施形態においては、ＣＰＵ４１は、接続された音源４５で発音された楽音の音高を、検出された操作の状態に基づいて変更する。
したがって、押弦状態に応じて、ピッチの微妙な変化を反映できる。
【００６６】
また、本実施形態においては、接続された音源４５は、発音の指示された楽音のパラメータを変調手段を有し、ＣＰＵ４１は、検出された操作の状態に基づいて、前記変調手段の変調度合いを変更する。
したがって、押弦状態に応じて、変調度合いの微妙な変化を反映できる。
【００６７】
また、本実施形態においては、接続された音源４５は、発音の指示に応答して異なる種類の楽音を混合して発音するように構成され、ＣＰＵ４１は、異なる種類の楽音の混合比率を、検出された操作の状態に基づいて変更する。
したがって、押弦状態に応じて、異なる種類の楽音の混合比率を変更できるので、例えば、ノーマル音からミュート音への微妙な音色変化を反映できる。
【００６８】
以上、本発明の実施形態について説明したが、実施形態は例示に過ぎず、本発明の技術的範囲を限定するものではない。本発明はその他の様々な実施形態を取ることが可能であり、さらに、本発明の要旨を逸脱しない範囲で、省略や置換など種々の変更を行うことができる。これら実施形態やその変形は、本明細書などに記載された発明の範囲や要旨に含まれると共に、特許請求の範囲に記載された発明とその均等の範囲に含まれる。
【００６９】
以下に、本願の出願当初の特許請求の範囲に記載された発明を付記する。
［付記１］
指板上に設けられた複数のフレットに対して行われた操作を検出する操作検出手段と、
前記操作検出手段により検出された操作に基づいて発音すべき楽音の音高を決定する音高決定手段と、
前記発音すべき楽音の発音タイミングを決定する発音タイミング決定手段と、
前記音高決定手段により決定された音高の楽音の発音を、前記発音タイミング決定手段により決定された発音タイミングで、接続された音源に指示する発音指示手段と、
前記操作検出手段により検出された操作の状態に基づいて、前記接続された音源で発音される楽音を制御する制御手段と、
を有する電子弦楽器。
［付記２］
前記操作検出手段は、前記操作の状態として、操作に用いる指と前記フレットとの近接状態を検出する付記１に記載の電子弦楽器。
［付記３］
前記操作検出手段は、前記複数のフレットの位置夫々に対応して前記指板内に設けられた静電センサを有する付記１又は２いずれかに記載の電子弦楽器。
［付記４］
前記発音タイミング決定手段は、複数の弦を有するとともに、当該弦のいずれが弾弦されたタイミングを発音タイミングとして決定する付記１に記載の電子弦楽器。
［付記５］
前記制御手段は、前記接続された音源で発音された楽音の音高を、前記操作検出手段により検出された操作の状態に基づいて変更する付記１に記載の電子弦楽器。
［付記６］
前記接続された音源は、前記発音の指示された楽音のパラメータを変調する変調手段を有し、
前記制御手段は、前記操作検出手段により検出された操作の状態に基づいて、前記変調手段の変調度合いを変更する付記１に記載の電子弦楽器。
［付記７］
前記接続された音源は、前記発音の指示に応答して異なる種類の楽音を混合して発音するように構成され、
前記制御手段は、前記異なる種類の楽音の混合比率を、前記操作検出手段により検出された操作の状態に基づいて変更する付記１に記載の電子弦楽器。
［付記８］
指板上に設けられた複数のフレットに対して行われた操作を検出し、
前記検出された操作に基づいて発音すべき楽音の音高を決定し、
前記発音すべき楽音の発音タイミングを決定し、
前記決定された音高の楽音の発音を、前記決定された発音タイミングで、接続された音源に指示し、
前記検出された操作の状態に基づいて、前記接続された音源で発音される楽音を制御する、楽音生成方法。
［付記９］
指板上に設けられた複数のフレットに対して行われた操作を検出する操作検出ステップと、
前記検出された操作に基づいて発音すべき楽音の音高を決定する音高決定ステップと、
前記発音すべき楽音の発音タイミングを決定する発音タイミング決定ステップと、
前記決定された音高の楽音の発音を、前記決定された発音タイミングで、接続された音源に指示する発音指示ステップと、
前記検出された操作の状態に基づいて、前記接続された音源で発音される楽音を制御する制御ステップと、
をコンビュータに実行させるプログラム。
【符号の説明】
【００７０】
１・・・電子弦楽器、１０・・・本体、１１・・・ノーマルピックアップ、１２・・・ヘキサピックアップ、１３・・・電子部、１４・・・ケーブル、１５・・・表示部、１６・・・ブリッジ、１６１・・・駒部、１６２・・・開口部、１７・・・トレモロアーム、２０・・・ネック、２１・・・指板、２２・・・弦、２３・・・フレット、２４・・・ネックＰＣＢ、２５・・・弾性誘電体、２６・・・静電パッド、３０・・・ヘッド、３１・・・糸巻き、５１・・・Ｘ信号制御部、５２・・・Ｙ信号制御部、５３・・・外部音源
【図１】
2014142508.tif 000003
【図２】
2014142508.tif 000004
【図３】
2014142508.tif 000005
【図４】
2014142508.tif 000006
【図５】
2014142508.tif 000007
【図６】
2014142508.tif 000008
【図７】
2014142508.tif 000009
【図８】
2014142508.tif 000010
【図９】
2014142508.tif 000011
【図１０】
2014142508.tif 000012
【図１１】
2014142508.tif 000013
【図１２】
2014142508.tif 000014
【図１３】
2014142508.tif 000015
【図１４】
2014142508.tif 000016
【図１５】
2014142508.tif 000017
【図１６】
2014142508.tif 000018
【図１７】
2014142508.tif 000019
【図１８】
2014142508.tif 000020
【図１９】
2014142508.tif 000021
【図２０】
2014142508.tif 000022
【図２１】
2014142508.tif 000023